(57)【要約】      （修正有）【課題】両面での充電が可能で、充電効率の向上とコストの削減を図るワイヤレス充電スタンドを提供する。【解決手段】ベース１１０と、結合部材１２０と、電源ユニット１３０とを有する本体１００を含み、ベースと結合部材とが直角して結合され、結合部材は第１面１２１と第２面１２２とを有し、且つ、第１面及び第２面に送信回路１４０がそれぞれ設けられた両面充電式ワイヤレス充電スタンドを構成する。もって、受信回路が設けられた電子装置を第１面または第２面に結合したときに両面での充電を可能とする。【選択図】図１Ａ
0003169916.tif 000002
【実用新案登録請求の範囲】
【請求項１】
受信回路が設けられた少なくとも１つの電子装置に用いられる両面充電式ワイヤレス充電スタンドであって、
ベースと、前記ベースと互いに結合され、第１面と第２面とを有する結合部材と、電源ユニットとを備え、前記第１面及び前記第２面に各前記電子装置がそれぞれ結合された本体と、
前記電源ユニットから電気が供給され、前記電気を交流信号に変換するとともに、前記電子装置の受信回路に該交流信号を無線送信し、前記受信回路で該交流信号を電気に変換して充電可能となるように構成され、前記結合部材内に設けられた送信回路と、を含む両面充電式ワイヤレス充電スタンド。
【請求項２】
前記結合部材と前記電子装置とが、クランプ、結束紐、磁石、面ファスナー、又はポリ塩化ビニル(PVC)樹脂のうち何れかの１つで互いに位置決めされていることを特徴とする請求項１に記載の両面充電式ワイヤレス充電スタンド。
【請求項３】
前記結合部材の送信回路と前記電子装置の受信回路との結合方式は、凹凸位置決め、磁気位置決め、音響制御位置決め又は光源位置決めのうち何れかの１つであることを特徴とする請求項１に記載の両面充電式ワイヤレス充電スタンド。
【請求項４】
前記送信回路は、前記電源ユニットに接続され、前記電源ユニットから送られた電気を交流信号に変換するとともに該交流信号を増幅する電力増幅回路と、前記電力増幅回路に接続され、前記電力増幅回路により増幅された交流信号を前記受信回路に送信する共振回路とを含むことを特徴とする請求項１に記載の両面充電式ワイヤレス充電スタンド。
【請求項５】
前記送信回路は、さらに、
前記共振回路に接続され、前記共振回路から送信された交流信号の大きさを検出する検出制御回路と、
設定信号値が予め設定され、該設定信号値を該交流信号と比較した後に周波数変調信号を発生し、前記検出制御回路に接続された処理回路と、
前記周波数変調信号に応じて周波数を調整し、且つ、前記電力増幅回路の電力を調整することによって、安定的な電力を有するように前記共振回路から送信された交流信号をフィードバック制御し、前記処理回路及び前記電力増幅回路に接続された駆動回路とを含むことを特徴とする請求項４に記載の両面充電式ワイヤレス充電スタンド。
【請求項６】
前記電力増幅回路及び前記共振回路は、電力整合回路に整合されていることを特徴とする請求項４に記載の両面充電式ワイヤレス充電スタンド。
【請求項７】
前記電力整合回路は、少なくとも２つのMOSFET(Metal Oxide Semiconductor Field Effect Transistor)からなる回路であることを特徴とする請求項６に記載の両面充電式ワイヤレス充電スタンド。
【請求項８】
前記電力整合回路は、ハーフブリッジ型電力回路及びフルブリッジ型電力回路のうち１つであることを特徴とする請求項７に記載の両面充電式ワイヤレス充電スタンド。
【請求項９】
前記受信回路は、前記送信回路から送信された交流信号を受信する誘導共振回路と、前記誘導共振回路に接続され、前記誘導共振回路により受信された交流信号を電気に変換するとともに該電気を定圧する制御回路と、前記制御回路に接続され、前記制御回路にとり変換された電気を蓄える二次電池とを備えることを特徴とする請求項１に記載の両面充電式ワイヤレス充電スタンド。
【考案の詳細な説明】
【技術分野】
【０００１】
本考案は、ワイヤレス充電装置に関し、特に、携帯式電子製品又は他の電子製品に適用できる両面充電式ワイヤレス充電スタンドに関する。
【背景技術】
【０００２】
近年、科学技術の持続的な進歩につれて、電子製品に対する要求も一段高くなり、特に、消費型電子製品を重点として、従来の体積の大きい電子製品（例えば、光ディスクプレヤ、家庭用電話または卓上型パソコンなど）が携帯可能かつ効率の高い電子製品（例えば、マルチメディアプレヤ(MPEG Audio Layer-3;MP3)、携帯電話またはノートブックなど）にコンパクト化され、ライフスタイルがより効率的になってきた。
【０００３】
上記のマルチメディアプレヤ、携帯電話などの携帯式電子製品は、使用時に要する電気が、例えば、ニッケル水素電池やリチウム電池などの二次電池の利用が大半占められ、二次電池は、主に、充電装置により充電を行い、該充電装置は、充電台とプラグとを有し、充電台がプラグと電源コードで接続され、充電台に二次電池を収納するための充電用凹溝が設けられ、プラグが電源コンセントに差し込まれることによって、充電時に要する電圧または電流を供給するように構成されている。また、ノートブックは、アダプタで電源コンセントに接続して、該ノートブックに必要とする電圧または電流をアダプタで供給するようになっている。しかしながら、上記の携帯式電子製品は、アダプタまたは二次電池によって必要とする電気を供給しなければならないので、外出の際にこれらの携帯式電子製品を利用しようとする場合には、異なるタイプのアダプタまたは専用充電器が必要となり、外出やビジネス活動の際に持ち難く、その使用利便性が低下され、また、上記の充電装置またはアダプタは、充電に必要とする電気を電源コードで該二次電池に接続して転送されるので、使用範囲が限られることになっている。
【考案の概要】
【考案が解決しようとする課題】
【０００４】
上記問題を解決するため、充電器の表面に無線回路が設けられ、携帯式電子製品を該充電器の表面に置くだけで充電することができ、さらに、該無線充電器の他方の面に導磁片又は磁気シールド片が設けられることによって、磁気漏れによる周辺の金属品や他の製品への作用又は影響を避けられるが、ワイヤレス充電器は、一面のみに無線回路が設けられ、他方の面に導磁片又は磁気シールド片が設けられたので、片面のみに一回しか充電を行えず、その充電効率が低下されることになった。
【０００５】
本考案は上記した点に鑑みて成されたもので、専念に研究や設計、組み立てをし、充電効率が向上され範囲に制限されない両面充電式ワイヤレス充電スタンドを提供するものである。
【０００６】
本考案は、両面で充電可能になって、充電効率が向上された両面充電式ワイヤレス充電スタンドを提供することを主な目的とする。
【０００７】
本考案は、無線充電可能で使用範囲が制限されることを避ける目的を達成する両面充電式ワイヤレス充電スタンドを提供することを次の目的とする。
【課題を解決するための手段】
【０００８】
前記目的を達成するため、本考案による両面充電式ワイヤレス充電スタンドは、受信回路が設けられた少なくとも１つの電子装置に用いられる両面充電式ワイヤレス充電スタンドであって、ベースと、前記ベースと直角して互いに結合され、第１面と第２面とを有する結合部材と、電源ユニットとを備え、前記第１面及び前記第２面に各前記電子装置がそれぞれ結合された本体と、前記電源ユニットから電気が供給され、前記電気を交流信号に変換するとともに、前記電子装置の受信回路に該交流信号を無線送信し、前記受信回路で該交流信号を電気に変換して充電可能となるように構成され、前記結合部材内に設けられた送信回路とを含む。よって、両面で充電可能になって、充電効率が向上し、コストも低下され、且つ、様々な充電器にそれぞれ接続しなくても充電可能となり、充電器の電源コードでの接続による使用範囲が制限される問題が避けられ、その使用利便性の効果が向上される。
【０００９】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【００１０】
【図１Ａ】本考案による両面充電式ワイヤレス充電スタンドの構造を示す斜視図である。
【図１Ｂ】本考案による両面充電式ワイヤレス充電スタンドの構造を示す斜視図である。
【図１Ｃ】本考案による両面充電式ワイヤレス充電スタンドの構造を示す斜視図である。
【図２Ａ】本考案による両面充電式ワイヤレス充電スタンドの使用状態を示す図である。
【図２Ｂ】本考案による両面充電式ワイヤレス充電スタンドの使用状態を示す図である。
【図２Ｃ】本考案による両面充電式ワイヤレス充電スタンドの使用状態を示す図である。
【図２Ｄ】本考案による両面充電式ワイヤレス充電スタンドの使用状態を示す図である。
【図３Ａ】本考案による両面充電式ワイヤレス充電スタンドを示す回路ブロック図である。
【図３Ｂ】本考案による両面充電式ワイヤレス充電スタンドを示す回路ブロック図である。
【図３Ｃ】本考案による両面充電式ワイヤレス充電スタンドを示す回路ブロック図である。
【図３Ｄ】本考案による両面充電式ワイヤレス充電スタンドを示す回路ブロック図である。
【考案を実施するための形態】
【００１１】
以下に図面を参照しながらほんこうあんについて詳しく説明する。
【００１２】
図１Ａ〜図３Ｄは、本考案による両面充電式ワイヤレス充電スタンドの構造を示す斜視図、使用状態図及びその回路ブロック図である。
本考案による両面充電式ワイヤレス充電スタンドは、送信回路１４０が設けられた本体１００を有し、ユーザは、受信回路２１０が設けられた電子装置２００を本体１００に位置決めすることによって、無線伝送方式で充電動作を行うことができる。
【００１３】
本体１００は、ベース１１０と、結合部材１２０と、電源ユニット１３０とを含む。結合部材１２０は、縦状態でベース１１０と直角に結合するか（図１Ａに示すように）、ベース１１０と一体に成形するか（図１Ｂに示すように）、横状態でベース１１０と直角に結合するか（図１Ｃに示すように）の何れかの形態になっている。結合部材１２０は、第１面１２１と第２面１２２とを有し、結合部材１２０の一方側に少なくとも１つの電源孔１３１（例えば、電源接続孔又はユニバーサル・シリアル・バス； USB）が設けられていて、電源ユニット１３０を電源孔１３１に差し込むと本体１００に電気を供給することができる。電源ユニット１３０は、アダプタ(Adapter)、或いは他の電子製品のアダプタ、プラグ、電源線など、或いはユニバーサル・シリアル・バス(USB)である。結合部材１２０には送信回路１４０が設けられている。電子装置２００は、クランプや、結束紐、磁石、面ファスナー、又はポリ塩化ビニル(PVC)樹脂などの結合方式により、結合部材１２０の第１面１２１及び第２面１２２にそれぞれ結合される。結合部材１２０に設けられた送信回路１４０は、電源ユニット１３０から与えられた電気を交流信号に変換し、電子装置２００の受信回路２１０に該交流信号を送信回路１４０により無線送信する。受信回路２１０は、該交流信号を電気に変換して電気を蓄えて電子装置２００に電気を供給する。
【００１４】
送信回路１４０は、電源ユニット１３０に接続された電力増幅回路１４１と、電力増幅回路１４１に接続された共振回路１４２とを含む。電力増幅回路１４１により電源ユニット１３０から送られた電気を交流信号に変換し、該交流信号が電力増幅回路１４１により増幅された後に、増幅された交流信号が共振回路１４２により同調される。さらに、共振回路１４２により受信回路２１０に該交流信号を送信する（図３Ａのように）。
【００１５】
また、送信回路１４０は、さらに、共振回路１４２に接続された検出制御回路１４３と、検出制御回路１４３に接続された処理回路１４４と、処理回路１４４及び電力増幅回路１４１に接続された駆動回路１４５とを含む。検出制御回路１４３により共振回路１４２から送信された交流信号の大きさを検出する。処理回路１１４は設定信号を予め設定し、該設定信号を該交流信号と比較した後に周波数変調信号を生じる。駆動回路１４５は、周波数変調信号に応じて周波数を調整し、さらに、電力増幅回路１４１の電力を調整することによって、該交流信号が安定的な電力を有するように共振回路１４２から送信された該交流信号をフィードバック制御する（図３Ｂのように）。
【００１６】
さらに、電力増幅回路１４１と共振回路１４２とは、いずれも電力回路であり、電力増幅回路１４１と共振回路１４２とを電力整合回路１４６に整合しても良い。共振回路１４２は、主に、少なくとも２つのMOSFET(Metal Oxide Semiconductor Field Effect Transistor)からなる回路である。すなわち、共振回路１４２は、これらのMOSFETにより電気的に接続してハーフブリッジ型電力回路（図３Ｃに示すように）又はフルブリッジ型電力回路（図３Ｄに示すように）に形成することができる。
【００１７】
電子装置２００は、マルチメディアプレヤ、携帯電話などの携帯式電子製品である。電子装置２００の受信回路２１０は、凹凸位置決め（例えば、電子装置２００と本体１００とに対応する凹溝と凸溝がそれぞれ設けられ）や、磁気位置決め（例えば、本体１００と電子装置２００とに対応する正、負極誘磁体がそれぞれ設けられ）、音響制御位置決め（例えば、本体１００と電子装置２００とに対応する音源センサがそれぞれ設けられ）、または光源位置決め（例えば、本体１００と電子装置２００とに対応する光センサがそれぞれ設けられ）などの方法で結合部材１２０の送信回路１４０と互いに位置決めすることができる。電子装置２００に設けられた受信回路２１０は、誘導共振回路２１１と、誘導共振回路２１１に接続された制御回路２１２と、制御回路２１２に接続された二次電池２１３とを含み、誘導共振回路２１１により送信回路１４０から送信された交流信号を受信して、制御回路２１２は、誘導共振回路２１１により受信した交流信号を電気に変換させるとともに該電気を定圧して、二次電池２１３により電気を蓄えて電子装置２００に電気を供給する。
【００１８】
本実施例では、本体１００の電源孔１３１には電源ユニット１３０が接続される。ユーザが２つの電子装置２００（例えば、携帯電話）を充電しようとする場合には、電子装置２００を結合部材１２０の第１面１２１及び第２面１２２に結合させて、送信回路１４０に電気を電源ユニット１３０により与え、送信回路１４０により該電気を交流信号に変換し、電子装置２００の受信回路２１０に該交流信号を送信回路１４０により送信し、受信回路２１０を充電して電子装置２００に電気を供給できる。本考案では、上記磁力線分布による特性で両面充電を達成できる（図２Ｄに示すように）。また本考案では導磁片又は磁気シールドを用いて磁気シールドや導磁する必要はなくなる。さらに、少なくとも一つの電子装置を同時に充電可能となり、充電効率が向上し、コストも低下され、且つ、様々な充電器にそれぞれ接続しなくても充電可能となり、充電器の電源コードでの接続による使用範囲が制限されるといった問題を回避でき、さらに携帯に便利で収納し易い等の多くのの利点を備える。
【００１９】
以上説明したように、本考案に係る両面充電式ワイヤレス充電スタンドは、主に、ベース１１０と、結合部材１２０と、電源ユニット１３０とを有する本体１００を備え、ベース１１０と結合部材１２０とが直角して結合され、結合部材１２０は、第１面１２１と第２面１２２とを有し、結合部材１２０に送信回路１４０が設けられ、ユーザは少なくとも１つの受信回路２１０を有する電子装置２００を充電しようとする場合に、各電子装置２００を結合部材１２０の第１面１２１及び第２面１２２にそれぞれ結合させて、送信回路１４０に電気を電源ユニット１３０により与え、送信回路１４０により該電気を交流信号に変換し、電子装置２００の受信回路２１０に該交流信号を送信回路１４０により送信し、受信回路２１０を充電して電子装置２００に電気を供給し、上記両面充電の設計によって、少なくとも１つの電子装置を同時に充電可能となり、充電効率が向上し、コストも低下され、且つ、様々な充電器にそれぞれ接続しなくても充電可能となり、充電器の電源コードでの接続による使用範囲が制限される問題が避けられ、携帯便利及び収納し易いなどの利点を備え、その使用利便性の効果が向上される。
【００２０】
以上の説明は、単に本考案の好ましい実施例の説明に過ぎず、本考案の録請求の範囲を限定するものではなく、いずれの当該分野における通常の知識を有する者が本考案の技術分野の中で、適宜行う変更や修飾などを実施できるが、これらの実施も本考案に含まれるべきことは言うまでもないことである。
【符号の説明】
【００２１】
１００・・・・・本体
１１０・・・・・ベース
１２０・・・・・結合部材
１２１・・・・・第１面
１２２・・・・・第２面
１３０・・・・・電源ユニット
１３１・・・・・電源孔
１４０・・・・・送信回路
１４１・・・・・電力増幅回路
１４２・・・・・共振回路
１４３・・・・・検出制御回路
１４４・・・・・処理回路
１４５・・・・・駆動回路
１４６・・・・・電力整合回路
２００・・・・・電子装置
２１０・・・・・受信回路
２１１・・・・・誘導共振回路
２１２・・・・・制御回路
２１３・・・・・二次電池
【図１Ａ】
0003169916.tif 000003
【図１Ｂ】
0003169916.tif 000004
【図１Ｃ】
0003169916.tif 000005
【図２Ａ】
0003169916.tif 000006
【図２Ｂ】
0003169916.tif 000007
【図２Ｃ】
0003169916.tif 000008
【図２Ｄ】
0003169916.tif 000009
【図３Ａ】
0003169916.tif 000010
【図３Ｂ】
0003169916.tif 000011
【図３Ｃ】
0003169916.tif 000012
【図３Ｄ】
0003169916.tif 000013